(57)【特許請求の範囲】
【請求項１】
パネル状型枠間にコンクリートを打設する際、パネル状型枠をセパレータを介して一定間隔に保持するための支持具であって、中央に陥没部を有する下方に開放された空洞状の本体からなり、該本体は横方向に延びるひとで形の５個の脚部をそなえ、本体中央の前記陥没部の底面が、本体の下端面と同じ面に位置しており、前記陥没部の底面にセパレータまたはセパレータに連接して設けられる部材の挿通孔を形成してなり、前記支持具は、パネル状型枠の幅方向の端部の直線部に合わせて割り付けられ、且つ本体を前記ひとで形の脚部が互いに入り組むよう前記パネル状型枠の幅方向に並設してパネル状型枠に配置されることを特徴とするコンクリート型枠用支持具。
【発明の詳細な説明】
【０００１】
【発明の属する技術分野】
本発明は、コンクリート壁の厚さに応じた間隔に平行に配置され、コンクリート打設時に、コンクリート打設圧力を支えるパネル状コンクリート型枠の支持具に関する。
【０００２】
【従来の技術】
コンクリート壁を形成する場合には、形成されるコンクリート壁の厚さに応じた間隔でパネル状型枠を平行に対向させて配置し、パネル状型枠間にコンクリートを打設して、固まるまでの間保持するが、コンクリートが打設されると、コンクリートの圧力により型枠に大きな側圧が作用する。パネル状型枠がコンクリートの側圧を受けて曲がると平坦なコンクリート壁が形成できない。
【０００３】
そのため、通常、型枠の外面に縦バタパイプと横バタパイプを縦横に組み付けてパイプ枠体を形成し、型枠の間隔を保持するセパレータから延長して配置されるフォームタイ（登録商標、以下同じ）などの部材を型枠から突出させて、突出部に座金、ナットをねじ込み、パイプ枠体を締め付け固定していた。
【０００４】
バタパイプとしては鋼管などが適用されるが、バタパイプは多量に使用されるため、この方式では、材料費、運搬費がかさみ、運搬、設置、解体に多くの時間と労力を要し、保管、管理にも大きなスペースと労力を必要とするなどの難点がある。
【０００５】
この問題を解決するために、図６に示すように、コンクリート壁Ｃの厚さに応じて所定間隔でパネル状型枠Ａ、Ｂを平行に対設し、図６〜７に示すように、正方形の平坦な頂面１２ａを有し、その周囲から直角に突出する側周面１２ｂを形成することにより縦断面コ状の筐体１３を形成し、側周面１２ｂの開放端面に、正方形の座板１４を筐体１３の頂面１２ａの中心と座板１４の中心とが一致するように固定してフランジ部１５を形成し、リブ１６で補強し、頂面１２ａと座板１３の中心にフォームタイ（セパレータ）２０の挿通孔１７、１８を設けてなる支持具１１を配置し、フォームタイ２０を挿通孔１７、１８、型枠Ａ、Ｂを貫通して挿通し、型枠Ｂの裏面でフォームタイ（セパレータ）２０の他端部にＰコン２１を取り付け、突出したフォームタイ（セパレータ）２０の一端部に座金Ｗを介してナットＮをねじ込み、フォームタイ調節孔１９から調節具を挿入して、フォームタイ（セパレータ）２０を回動することによって座金Ｗと筐体１３の頂面１２ａとの間でバタパイプＰ１、Ｐ１を挟圧するようにしたコンクリート型枠の支持方式が提案されている（実公平３−２９４７１号公報）。
【０００６】
また、図８に示すように、コンクリート型枠Ａ、（Ｂ）間に架設されるセパレータ２０の両端にコンクリート型枠Ａ、（Ｂ）の内壁面に当接してコンクリート型枠Ａ、Ｂの間隔を規制するＰコンなどの係止具３０、（３０）を取り付け、係止具３０の他端に軸足４０を連結し、軸足４０を型枠Ａの外壁面より突出させ、軸足４０に、軸足４０が挿通する開孔５７をそなえた略載頭円錐状または略円筒状のカップ状部５２と、カップ状部５２の開口周縁から円周方向に突出する鍔部５４をそなえた支持具５０を装着した後、軸足４０の他端にフォームタイ６２を連結して、座金６４、ナット６６と支持具５０の上面との間で縦バタパイプ９２、横バタパイプ９４を挟圧するようにしたコンクリート型枠の支持方式も提案されている（特開平１１−１９０１２７号公報）。
【０００７】
これらの支持具を用いた場合には、支持具の広い底面によりコンクリート型枠の外壁面が支持されているため、コンクリート型枠の支持面積を拡大することができ、使用するバタパイプの本数を減らした場合でも、従来のバタパイプによる方式に比べ、型枠間に打設されたコンクリートの圧力による型枠の変形、位置ずれ、破損などを軽減することができるが、前者のものにおいては、重ねることができないため、保管、運搬にきわめて不便であり、後者のものにおいては、この点は改善されているが、持ち難い形状であるため、取付、解体作業が行い難く、とくに、解体時に簡単に取り外せないことが少なくなく、その場合、現場においてはハンマーなどで叩いて外すこととなるため、支持具を変形させ、また壊すこともある。さらに、支持具の下面が円形であるため、パネル状型枠の限られた寸法内に支持具を割り付ける場合、収まりが良くなく、このように割り付けられた支持具においては、コンクリートの圧力に対して必ずしも十分な強度を有していないという難点がある。
【０００８】
【発明が解決しようとする課題】
本発明は、コンクリート型枠の支持具における上記従来の問題点を解消するために、支持具の構造と上記の改善点との関係について、広範囲な試験、検討を重ねた結果としてなされたものであり、その目的は、持ち易く、取付、解体が容易であり、重ねることができるために保管、運搬に便利であり、パネル型枠に割り付けを行った場合、支持具間の間隔を小さくすることができるため、コンクリートの圧力に対して型枠に十分な強度を与えることができ、また、パネル状型枠の端部の直線部に合わせて割り付けを可能とするコンクリート型枠用支持具を提供することにある。
【０００９】
【課題を解決するための手段】
上記の目的を達成するための、請求項１によるコンクリート型枠用支持具は、パネル状型枠間にコンクリートを打設する際、パネル状型枠をセパレータを介して一定間隔に保持するための支持具であって、中央に陥没部を有する下方に開放された空洞状の本体からなり、該本体は横方向に延びるひとで形の５個の脚部をそなえ、本体中央の前記陥没部の底面が、本体の下端面と同じ面に位置しており、前記陥没部の底面にセパレータまたはセパレータに連接して設けられる部材の挿通孔を形成してなり、前記支持具は、パネル状型枠の幅方向の端部の直線部に合わせて割り付けられ、且つ本体を前記ひとで形の脚部が互いに入り組むよう前記パネル状型枠の幅方向に並設してパネル状型枠に配置されることを特徴とする。
【００１２】
【発明の実施の形態】
以下、本発明のコンクリート型枠用支持具の構成、使用方法などを図面により説明する。なお、これらの態様は、本発明の好ましい一実施態様を説明するためのものであり、これによって本発明が制限されるものではない。なお、従来ものと同じ部材には同一の符号を付した。
【００１３】
本発明のコンクリート型枠用支持具は、図６〜７、図８に示す従来の支持具と同様な形態で使用するもので、パネル状型枠間にコンクリートを打設する際、パネル状型枠をセパレータ（図６においてはフォームタイ２０、図８においてはセパレータ２０）を介して一定間隔に保持するための支持具であって、図１〜２に示すように、当該支持具１は、下方に開放された空洞状の本体２からなり、本体２の上面８の中央に、本体２の開放方向に陥没した陥没部３を形成し、横方向に延びるひとで形の複数の脚部４をそなえ、陥没部３の底面５に、型枠Ａ、Ｂのセパレータ（図６においてはフォームタイ２０）、またはセパレータに連接して設けられる部材（図８においては軸足４０）など、セパレータに連接して延びる部材の挿通孔６を形成してなる。
【００１４】
本体２の脚部４の数は使用形態に応じて種々選択することができるが、実用上は５個の脚部をそなえているのが好ましい。
【００１５】
また、本体２の中央の陥没部３の底面５は、本体の下端面７と同じ面に位置しているのが好ましく、この構成により、型枠の外壁面をより安定して支持することができる。
【００１６】
図３により、本発明のコンクリート型枠用支持具１を使用して、パネル状型枠を取り付ける形態について説明すると、両側にＰコンなどの係止具３０を取り付けたセパレータ２０を、例えばコンクリート壁内に埋設される補強用の鉄筋などに仮止めして、所定間隔で配置し、パネル状型枠Ａの開口にセパレータ２０の突出端を挿入し、型枠Ａを立ち上げる。
【００１７】
ついで、型枠Ａの外壁面から突出しているセパレータ２０に、支持具１を、その陥没部３の底面５に設けられた挿通孔６を介して装着し、セパレータ２０の突出端にフォームタイ６０を取り付ける。
【００１８】
この状態で、バタパイプＰ１、Ｐ１を支持具１の上面８に載置するよう配置し、フォームタイ６０に座金Ｗ、ナットＮをねじ込み、座金Ｗと支持具１の間でバタパイプＰ１、Ｐ１を押圧し、固定する。
【００１９】
座金ＷによるバタパイプＰ１、Ｐ１の押圧により、バタパイプＰ１、Ｐ１が支持具１の上面８を押圧し、支持具１の下端面７はコンクリート型枠Ａの外壁面を押圧して、支持具１と係止具３０との間でコンクリート型枠Ａは強固に支持される。
【００２０】
セパレータ２０の他端部はパネル状型枠Ｂの開口に挿入し、型枠Ｂを立ち上げ、同様に、支持具１、フォームタイ６０を取り付け、バタパイプを配置して、座金、ナットによりコンクリート型枠Ｂを支持する。なお、支持具１、フォームタイ６０の取り付けは、コンクリート型枠の使用状況に応じて、コンクリート型枠Ａ、Ｂの両方ではなく、一方のコンクリート型枠ＡまたはＢについてのみ適用することもできる。
【００２１】
また、本発明の支持具１を用いる上記の実施形態においては、一方向（縦または横）のバタパイプのみを配設する例を示したが、図８に示すように、縦および横方向のバタパイプを配設することもでき、また、比較的狭い場所でのコンクリート型枠に適用するような場合には、バタパイプを配設することなく、支持具１のみを使用してコンクリート型枠を支持することも可能である。
【００２２】
【実施例】
図１において、ａ（ひとで形の本体２の下端面７の外接円９の直径）＝３２０ｍｍ、図２において、上面８から下端面７までの高さｂ＝４９．５ｍｍで、５個の脚部４をそなえた本発明の支持具（アルミニウム合金製）を作製し、これらの支持具を、例えば幅６００ｍｍ、端部幅２５ｍｍのパネル状コンクリート型枠に配置した。
【００２３】
図４に示すように、本発明による支持具を間隔１０５ｍｍで配置し、上記のコンクリート型枠の寸法に合わせるよう成形した従来の略截頭円錐状の支持具（底面の直径：２７５ｍｍ）を、本発明の支持具と中心を合わせるように配置したところ、図５に示すように、支持具間の間隔は１２５ｍｍとなった。
【００２４】
すなわち、本発明の支持具と従来の支持具を対比すると、本発明の支持具は、同じ数の支持具を使用した場合、支持具の間隔を小さくすることができる。コンクリートの圧力により、コンクリート型枠に生じる曲がり量は、下記の式に示すように、支持間隔の４乗に比例するから、僅かな支持間隔の差が大きな曲がり量の差となる。
δ＝（５ωＬ4 ）／（３８４ＥＩ）
δ：型枠に生じる曲げ量、ω：コンクリートの圧力（側圧）、Ｌ：支持具の間隔、Ｅ：型枠のヤング率、Ｉ：型枠の断面２次モーメント
【００２５】
従って、本発明の支持具を使用した場合には、コンクリートの圧力によるパネル状型枠の曲がり量がより小さくなるから、形成されるコンクリート壁の平坦度が向上する。また、図４に示すように、本発明の支持具は、型枠の端部の直線部に合わせて割り付けることができるから、より安定した支持構造が得られる。
【００２６】
【発明の効果】
本発明によれば、以下のような効果が得られる。
（１）持ち易く、運搬、現場での取付、解体を容易に行うことができ、従来のようにハンマーで叩いて外す必要はなく、従って、使用中に変形や損傷を生じることがない。重ねることができるため保管に便利である。
（２）図８に示す従来の支持具に比べて剛性が高く、形枠に対して十分な支持力を与えることができる。
（３）従来の支持具に比べて、同じ数の支持具を使用した場合、間隔を小さくすることができるから、コンクリートの圧力によるパネル状型枠の曲げ量がより小さくなり、形成されるコンクリート壁の平坦度が向上する。
（４）型枠の端部の直線部に合わせて割り付けることができるから、より安定した支持構造が得られる。
【図面の簡単な説明】
【図１】本発明のコンクリート型枠用支持具の実施例を示す平面図である。
【図２】図１のＸ−Ｘ断面図である。
【図３】図１〜２の支持具の使用形態を示す一部断面図である。
【図４】本発明の支持具をパネル状コンクリート型枠に配置した図である。
【図５】従来の支持具をパネル状コンクリート型枠に配置した図である。
【図６】従来の支持具の使用形態を示す一部断面図である。
【図７】図６の支持具の平面図である。
【図８】従来の支持具の使用形態を示す一部断面図である。
【符号の説明】
１      支持具（本発明）
２      本体
３      陥没部
４      脚部
５      陥没部の底面
６      挿通孔
７      下端面
８      上面
９      外接円
２０    セパレータ
３０    係止具
６０    フォームタイ
Ｐ１    バタパイプ
Ｐ２    バタパイプ
Ａ      パネル状型枠
Ｂ      パネル状型枠
Ｃ      コンクリート
Ｗ      座金
Ｎ      ナット
１１    支持具（従来）
１２ａ  頂面
１２ｂ  側周面
１３    筐体
１４    座板
１５    フランジ部
１６    リブ
１７    フォームタイ挿通孔
１８    フォームタイ挿通孔
１９    フォームタイ調節具挿通孔
２１    Ｐコン
４０    軸足
５０    支持具（従来）
５２    カップ状部
５４    鍔部
５７    開孔
【図１】
0004667618.tif 000002
【図２】
0004667618.tif 000003
【図３】
0004667618.tif 000004
【図４】
0004667618.tif 000005
【図５】
0004667618.tif 000006
【図６】
0004667618.tif 000007
【図７】
0004667618.tif 000008
【図８】
0004667618.tif 000009